(57)【要約】【課題】長寿命であるとともに、放熱性を向上させることが可能な照明装置を提供する。【解決手段】この照明装置４は、略円弧状の断面を有し、かつ、Ａ方向に延びるように形成された透光性カバー部材３０と、実装基板２０が搭載されるとともに、透光性カバー部材３０に取り付けられる放熱部材４０とを備えている。放熱部材４０は、透光性カバー部材３０の外側に放熱する外側放熱部４２と、透光性カバー部材３０の内側に放熱する内側放熱部４１とを含む。【選択図】図３
2010062023.tif 000002
【特許請求の範囲】
【請求項１】
第１の方向に列状に配置された複数の発光素子と、
前記発光素子が搭載された実装基板と、
前記発光素子の光出射面側を覆うように配置されるとともに、略円弧状の断面を有し、かつ、前記第１の方向に延びるように形成された透光性カバー部材と、
前記実装基板が搭載されるとともに、前記透光性カバー部材に取り付けられる放熱部材とを備え、
前記放熱部材は、前記透光性カバー部材の外側に放熱する外側放熱部と、前記透光性カバー部材の内側に放熱する内側放熱部とを含むことを特徴とする照明装置。
【請求項２】
前記透光性カバー部材および前記放熱部材の断面の外形は、略円形状であることを特徴とする請求項１に記載の照明装置。
【請求項３】
前記放熱部材の外側放熱部および内側放熱部の少なくとも一方には、前記透光性カバー部材の内側に放熱するための複数の内側放熱フィンが形成されていることを特徴とする請求項１または２に記載の照明装置。
【請求項４】
前記放熱部材の外側放熱部には、前記透光性カバー部材の外側に放熱するための複数の外側放熱フィンが形成されていることを特徴とする請求項１〜３のいずれか１項に記載の照明装置。
【請求項５】
断面的に見て、前記透光性カバー部材の内側に配置された前記放熱部材の所定部分の前記第１の方向と交差する第２の方向の幅は、前記透光性カバー部材の前記第２の方向の開口幅よりも大きいことを特徴とする請求項１〜４のいずれか１項に記載の照明装置。
【請求項６】
前記透光性カバー部材は、樹脂製であることを特徴とする請求項１〜５のいずれか１項に記載の照明装置。
【請求項７】
前記透光性カバー部材の前記第１の方向の端部に配置される端子をさらに備えることを特徴とする請求項１〜６のいずれか１項に記載の照明装置。
【請求項８】
冷凍庫または冷蔵庫の照明に用いられることを特徴とする請求項１〜７のいずれか１項に記載の照明装置。
【発明の詳細な説明】
【技術分野】
【０００１】
この発明は、照明装置に関し、特に、複数の発光素子を備えた照明装置に関する。
【背景技術】
【０００２】
従来、照明装置として蛍光ランプが広く用いられている。蛍光ランプは、寿命が約６０００時間程度であり、しばしば交換する必要があるという不都合がある。このため、半永久的な寿命を有する発光ダイオードなどを用いた照明装置が提案されている（例えば、特許文献１参照）。
【０００３】
上記特許文献１には、所定の方向に１列状に配置された発光ダイオード（発光素子）と、発光ダイオードが搭載された基板（実装基板）と、基板が搭載される金属製の支持部（放熱部材）と、発光ダイオードおよび支持部を収納するとともに、所定の方向に延びる円筒状に形成された透光ケースと、透光ケースの両端部に配置された電極部（端子）とを備えた照明装置が開示されている。この金属製の支持部は、全体が透光ケースの内側に配置されている。
【０００４】
上記特許文献１では、透光ケースを、所定の方向に延びる円筒状に形成することにより、照明装置の外形を、従来から用いられている蛍光ランプの外形と略同じ形状に形成している。これにより、発光ダイオードを用いた長寿命の照明装置を蛍光ランプの代替品として用いることが可能である。
【特許文献１】特開２００７−１１５５９５号公報
【発明の開示】
【発明が解決しようとする課題】
【０００５】
しかしながら、上記特許文献１の照明装置では、支持部（放熱部材）全体を透光ケースの内側に配置しているので、支持部により放熱した熱が、透光ケース内にこもってしまう。このため、発光ダイオード（発光素子）で発生した熱を、十分に放熱するのが困難であるという問題点がある。
【０００６】
この発明は、上記のような課題を解決するためになされたものであり、この発明の目的は、長寿命であるとともに、放熱性を向上させることが可能な照明装置を提供することである。
【課題を解決するための手段】
【０００７】
上記目的を達成するために、この発明の一の局面による照明装置は、第１の方向に列状に配置された複数の発光素子と、発光素子が搭載された実装基板と、発光素子の光出射面側を覆うように配置されるとともに、略円弧状の断面を有し、かつ、第１の方向に延びるように形成された透光性カバー部材と、実装基板が搭載されるとともに、透光性カバー部材に取り付けられる放熱部材とを備え、放熱部材は、透光性カバー部材の外側に放熱する外側放熱部と、透光性カバー部材の内側に放熱する内側放熱部とを含む。
【０００８】
この一の局面による照明装置では、上記のように、発光素子を設けることによって、照明装置を、長寿命にすることができる。
【０００９】
また、一の局面による照明装置では、上記のように、放熱部材に、透光性カバー部材の外側に放熱する外側放熱部を設けることによって、発光素子で発生した熱を、外側放熱部により、透光性カバー部材の外側に効率よく放熱することができる。これにより、照明装置の放熱性を向上させることができる。
【００１０】
また、一の局面による照明装置では、上記のように、放熱部材に、透光性カバー部材の外側に放熱する外側放熱部のみでなく、透光性カバー部材の内側に放熱する内側放熱部も設けている。これにより、放熱部材に、透光性カバー部材の外側に放熱する外側放熱部のみを設ける場合に比べて、発光素子で発生した熱を、より放熱することができる。これにより、照明装置の放熱性をより向上させることができる。
【００１１】
また、一の局面による照明装置では、上記のように、放熱部材に、透光性カバー部材の内側に放熱する内側放熱部を設けることによって、透光性カバー部材およびその内側を、適度に暖めることができる。これにより、透光性カバー部材の表面（外面および内面）に水滴などが付着して透光性カバー部材が曇るのを抑制することもできる。なお、放熱部材に、透光性カバー部材の外側に放熱する外側放熱部のみを設けた場合、使用環境によっては、透光性カバー部材の表面（外面および内面）に水滴などが付着しやすくなり、透光性カバー部材が曇りやすくなる。
【００１２】
また、一の局面による照明装置では、上記のように、略円弧状の断面を有し、かつ、第１の方向に延びるように形成された透光性カバー部材を設けることによって、照明装置の外形を、従来から用いられている蛍光ランプの外形と略同じ形状に形成することができる。これにより、照明装置を、蛍光ランプの代替品として用いることもできる。
【００１３】
上記一の局面による照明装置において、好ましくは、透光性カバー部材および放熱部材の断面の外形は、略円形状である。このように構成すれば、照明装置全体の外形を、蛍光ランプの外形に、より近い形状に形成することができるので、照明装置を、蛍光ランプの代替品として、より容易に用いることができる。
【００１４】
上記一の局面による照明装置において、好ましくは、放熱部材の外側放熱部および内側放熱部の少なくとも一方には、透光性カバー部材の内側に放熱するための複数の内側放熱フィンが形成されている。このように構成すれば、放熱部材の放熱性を、より向上させることができるとともに、透光性カバー部材およびその内側を、より暖めることができる。
【００１５】
上記一の局面による照明装置において、好ましくは、放熱部材の外側放熱部には、透光性カバー部材の外側に放熱するための複数の外側放熱フィンが形成されている。このように構成すれば、放熱部材の放熱性を、さらに向上させることができる。
【００１６】
上記一の局面による照明装置において、好ましくは、断面的に見て、透光性カバー部材の内側に配置された放熱部材の所定部分の第１の方向と交差する第２の方向の幅は、透光性カバー部材の第２の方向の開口幅よりも大きい。このように構成すれば、透光性カバー部材が放熱部材から外れ落ちるのを抑制することができる。すなわち、透光性カバー部材と放熱部材とを、接着材などを用いることなく固定することができる。これにより、照明装置の組み立て作業や、発光素子および実装基板などのリペア作業が煩雑になるのを抑制することができる。また、接着材を用いない分、照明装置を軽量化することもできる。
【００１７】
上記一の局面による照明装置において、好ましくは、透光性カバー部材は、樹脂製である。このように構成すれば、ガラス製の透光性カバー部材を用いる場合に比べて、照明装置を軽量化することができる。
【００１８】
上記一の局面による照明装置において、好ましくは、透光性カバー部材の第１の方向の端部に配置される端子をさらに備える。このように構成すれば、従来から用いられている蛍光ランプの取付具に、容易に、照明装置を取り付けることができるので、照明装置を、蛍光ランプの代替品として、より容易に用いることができる。
【００１９】
上記一の局面による照明装置において、好ましくは、冷凍庫または冷蔵庫の照明に用いられる。このように、照明装置を冷凍庫や冷蔵庫の照明に用いる場合、透光性カバー部材の表面（外面）に霜や曇りが発生しやすくなる。しかしながら、本発明の照明装置では、放熱部材に、透光性カバー部材の内側に放熱する内側放熱部を設けることにより、透光性カバー部材およびその内側を適度に暖めることができるので、照明装置を冷凍庫や冷蔵庫の照明に用いる場合にも、透光性カバー部材の表面（外面）に霜や曇りが発生するのを抑制することができる。
【００２０】
また、照明装置を冷凍庫や冷蔵庫の照明に用いる場合、照明装置を消灯すると、照明装置が急激に冷却され、発光素子などにダメージが発生しやすくなる。しかしながら、本発明の照明装置では、内側放熱部により透光性カバー部材およびその内側を適度に暖めることができるので、照明装置を消灯しても、照明装置が急激に冷却されるのを抑制することができる。これにより、発光素子などにダメージが発生するのを抑制することができるので、照明装置の寿命をより向上させることができる。
【発明の効果】
【００２１】
以上のように、本発明によれば、長寿命であるとともに、放熱性を向上させることが可能な照明装置を容易に得ることができる。
【発明を実施するための最良の形態】
【００２２】
図１は、本発明の一実施形態による照明装置を備えたショーケースの構造を示した斜視図である。図２は、図１に示した一実施形態による照明装置の構造を示した斜視図である。図３は、図１に示した一実施形態による照明装置の構造を示した分解斜視図である。図４は、図３の１００−１００線に沿った側面図である。図５は、図１に示した一実施形態による照明装置の発光素子および実装基板の構造を示した平面図である。図６は、図１に示した一実施形態による照明装置の透光性カバー部材の構造を示した側面図である。図１〜図６を参照して、本発明の一実施形態による照明装置４を備えたショーケース１の構造について説明する。
【００２３】
本発明の一実施形態による照明装置４を備えたショーケース１は、図１に示すように、例えば、商品陳列用の冷凍庫や冷蔵庫として用いられる。また、ショーケース１は、本体部２と、本体部２に固定された複数のソケット（取付具）３と、ソケット３に取り付けられた複数の照明装置４とを備えている。
【００２４】
本体部２は、天板２ａ、側板２ｂ、底板２ｃおよび棚板２ｄなどによって構成されている。ソケット３は、本体部２の上部の前面に複数固定されている。照明装置４は、直管状に形成されているとともに、両端部がソケット３に取り付けられている。そして、照明装置４は、ショーケース１に陳列された商品（図示せず）を照明する。
【００２５】
また、照明装置４は、図２および図３に示すように、Ａ方向に１列状に配置された複数の発光素子１０（図２参照）と、複数（６つ）の発光素子１０が搭載された複数（３つ）の実装基板２０と、発光素子１０の光出射面１０ａ側（後述する発光ダイオード１１（図４参照）の発光面１１ａ側）を覆うように配置された透光性カバー部材３０と、実装基板２０が搭載された放熱部材４０と、透光性カバー部材３０および放熱部材４０のＡ方向の両端部に取り付けられた口金５０とを備えている。なお、Ａ方向は、本発明の「第１の方向」の一例である。
【００２６】
発光素子１０は、図４に示すように、発光ダイオード１１と、発光ダイオード１１が搭載された反射部材１２と、発光ダイオード１１を覆うように配置された透明樹脂１３とによって構成されている。
【００２７】
また、発光素子１０は、接着層（図示せず）などを介して、実装基板２０に固定されているとともに電気的に接続されている。
【００２８】
実装基板２０は、図５に示すように、平面的に見て長方形状に形成されている。また、実装基板２０は、図２に示すように、Ａ方向に沿って複数（３つ）配置されている。また、隣接する実装基板２０同士は、配線（図示せず）によって、互いに電気的に接続されている。また、Ａ方向の両側に位置する実装基板２０は、配線（図示せず）を介して、口金５０の後述する口金ピン５０ｂに電気的に接続されている。
【００２９】
透光性カバー部材３０は、透明または半透明のアクリル樹脂からなる。また、透光性カバー部材３０は、Ａ方向に延びるように形成されている。また、透光性カバー部材３０は、図４および図６に示すように、１８０°以上の中心角θ１（図６参照）を有する円弧状の断面（側面）を含むように形成されている。また、透光性カバー部材３０は、発光素子１０（図４参照）の裏面側の部分に、Ａ方向に延びる開口部（スリット）３１（図６参照）が形成されている。この開口部（スリット）３１は、図４に示すように、Ｗ１の開口幅を有する。また、透光性カバー部材３０は、Ｂ方向にＨ１の高さを有する。
【００３０】
なお、透光性カバー部材３０は、円筒状の部材にＡ方向に延びる開口部（スリット）３１（図６参照）を設けることにより形成してもよいし、例えば押出成形などにより形成してもよい。
【００３１】
放熱部材４０は、アルミニウムなどの金属からなり、例えば押出成形により形成されている。
【００３２】
ここで、本実施形態では、放熱部材４０は、実装基板２０が搭載されるとともに透光性カバー部材３０の内側に放熱する内側放熱部４１と、透光性カバー部材３０の外側に放熱する外側放熱部４２と、内側放熱部４１の熱を外側放熱部４２に伝達する熱伝達部４３とを含んでいる。
【００３３】
内側放熱部４１は、基板搭載面４１ａが透光性カバー部材３０の中心Ｏ１の近傍に位置するように配置されている。また、内側放熱部４１の基板搭載面４１ａとは反対側の面には、Ａ方向（図２参照）に延びる複数の放熱フィン４１ｂが形成されている。この放熱フィン４１ｂは、透光性カバー部材３０の内側に放熱するために設けられている。なお、放熱フィン４１ｂは、本発明の「内側放熱フィン」の一例である。
【００３４】
また、隣接する放熱フィン４１ｂ同士の間の部分や、放熱フィン４１ｂと熱伝達部４３との間の部分は、Ａ方向に延びる凹形状に形成されている。このため、この凹形状の部分に配線（図示せず）などを配置することも可能である。また、この場合、配線（図示せず）が透光性カバー部材３０の外側から見えるのを抑制することも可能である。
【００３５】
また、放熱フィン４１ｂは、内側放熱部４１のＣ方向の両端部から所定の距離を隔てて配置されている。これにより、放熱フィン４１ｂが透光性カバー部材３０の外側から見えるのを抑制することが可能である。
【００３６】
外側放熱部４２は、透光性カバー部材３０の開口部３１（図６参照）を塞ぐように配置されている。
【００３７】
具体的には、外側放熱部４２には、図４に示すように、断面的に見て、透光性カバー部材３０の内側に配置されるとともに、透光性カバー部材３０の２つの開口端３２に挟まれた内側保持部４２ａと、内側保持部４２ａとによって透光性カバー部材３０の開口端３２を挟み込む外側保持部４２ｂと、透光性カバー部材３０の開口端３２が当接する当接部４２ｃとが形成されている。すなわち、放熱部材４０には、内側保持部４２ａ、外側保持部４２ｂおよび当接部４２ｃによって、凹部４２ｄが形成されており、凹部４２ｄに透光性カバー部材３０の開口端３２が嵌め込まれている。なお、内側保持部４２ａは、本発明の「所定部分」の一例である。
【００３８】
内側保持部４２ａのＣ方向（Ａ方向およびＢ方向と直交する方向）の幅Ｗ２は、透光性カバー部材３０のＣ方向の開口幅（開口端３２同士の間隔）Ｗ１よりも大きい。また、凹部４２ｄの内面は、透光性カバー部材３０の開口端３２の延びる方向（矢印Ｐ方向）に沿った方向に形成されている。なお、Ｃ方向は、本発明の「第２の方向」の一例である。
【００３９】
また、凹部４２ｄは、Ａ方向（図２参照）に延びるように形成されている。そして、透光性カバー部材３０を放熱部材４０に取り付ける場合、透光性カバー部材３０の開口端３２を放熱部材４０の外側放熱部４２の凹部４２ｄにＡ方向（図２参照）にスライドさせることにより行う。これにより、透光性カバー部材３０を、接着材などを用いることなく放熱部材４０に取り付けることが可能である。
【００４０】
また、外側放熱部４２の外側の部分には、Ａ方向（図２参照）に延びる複数の放熱フィン４２ｅが形成されている。この放熱フィン４２ｅは、透光性カバー部材３０の外側に放熱するために設けられている。なお、放熱フィン４２ｅは、本発明の「外側放熱フィン」の一例である。
【００４１】
また、本実施形態では、放熱部材４０の外側放熱部４２の断面の外形（外側放熱部４２の放熱フィン４２ｅの先端を通過する線Ｌ１）は、透光性カバー部材３０の外面の半径Ｒ１と略同じ大きさの半径Ｒ２に形成されている。これにより、透光性カバー部材３０および放熱部材４０の断面の外形は、略円形状に形成されている。
【００４２】
また、外側放熱部４２の当接部４２ｃから放熱フィン４２ｅの先端までのＢ方向の高さＨ２は、透光性カバー部材３０のＢ方向の高さＨ１よりも小さい。
【００４３】
また、放熱部材４０のＡ方向（図２参照）の両端部には、ネジ穴４０ａが設けられている。
【００４４】
口金５０には、図３に示すように、ネジ穴５０ａと、２つの口金ピン５０ｂとが設けられている。なお、口金ピン５０ｂは、本発明の「端子」の一例である。そして、ネジ６０がネジ穴５０ａに挿入されるとともに放熱部材４０のネジ穴４０ａに取り付けられることによって、口金５０が放熱部材４０に固定されている。
【００４５】
また、ネジ６０をネジ穴４０ａおよび５０ａから外すことにより、口金５０、放熱部材４０および透光性カバー部材３０などを別々に分解することが可能である。
【００４６】
口金ピン５０ｂは、ショーケース１のソケット３（図１参照）に取り付けられるとともに、ソケット３に電気的に接続されている。この口金ピン５０ｂには、ソケット３から交流の電気が供給される。そして、ソケット３から供給された電気は、照明装置４に設けられたコンバータ（図示せず）により直流の電気に変換され、発光素子１０（発光ダイオード１１）を発光させる。
【００４７】
本実施形態では、上記のように、発光素子１０を設けることによって、照明装置４を、長寿命にすることができる。
【００４８】
また、本実施形態では、上記のように、放熱部材４０に、透光性カバー部材３０の外側に放熱する外側放熱部４２を設けることによって、発光ダイオード１１で発生した熱を、外側放熱部４２により、透光性カバー部材３０の外側に効率よく放熱することができる。これにより、照明装置４の放熱性を向上させることができる。
【００４９】
また、本実施形態では、上記のように、放熱部材４０に、透光性カバー部材３０の外側に放熱する外側放熱部４２のみでなく、透光性カバー部材３０の内側に放熱する内側放熱部４１も設けている。これにより、放熱部材４０に、透光性カバー部材３０の外側に放熱する外側放熱部４２のみを設ける場合に比べて、発光ダイオード１１で発生した熱を、より放熱することができる。これにより、照明装置４の放熱性をより向上させることができる。
【００５０】
また、本実施形態では、上記のように、放熱部材４０に、透光性カバー部材３０の内側に放熱する内側放熱部４１を設けることによって、透光性カバー部材３０およびその内側を、適度に暖めることができる。これにより、透光性カバー部材３０の表面（外面および内面）に水滴などが付着して透光性カバー部材３０が曇るのを抑制することもできる。なお、放熱部材４０に、透光性カバー部材３０の外側に放熱する外側放熱部４２のみを設けた場合、使用環境によっては、透光性カバー部材３０の表面（外面および内面）に水滴などが付着しやすくなり、透光性カバー部材３０が曇りやすくなる。
【００５１】
また、本実施形態では、上記のように、略円弧状の断面を有し、Ａ方向に延びるように形成された透光性カバー部材３０を設けることによって、照明装置４の外形を、従来から用いられている蛍光ランプの外形と略同じ形状に形成することができる。これにより、照明装置４を、蛍光ランプの代替品として用いることができる。
【００５２】
また、本実施形態では、上記のように、透光性カバー部材３０および放熱部材４０の断面の外形を、略円形状に形成することによって、照明装置４全体の外形を、蛍光ランプの外形に、より近い形状に形成することができるので、照明装置４を、蛍光ランプの代替品として、より容易に用いることができる。
【００５３】
また、本実施形態では、上記のように、内側放熱部４１に、透光性カバー部材３０の内側に放熱するための複数の放熱フィン４１ｂを形成することによって、放熱部材４０の放熱性を、より向上させることができるとともに、透光性カバー部材３０およびその内側を、より暖めることができる。
【００５４】
また、本実施形態では、上記のように、放熱部材４０の外側放熱部４２に、透光性カバー部材３０の外側に放熱するための複数の放熱フィン４２ｅを形成することによって、放熱部材４０の放熱性を、さらに向上させることができる。
【００５５】
また、本実施形態では、上記のように、放熱部材４０の内側保持部４２ａのＣ方向の幅Ｗ２は、透光性カバー部材３０のＣ方向の開口幅Ｗ１よりも大きい。このように構成すれば、透光性カバー部材３０が放熱部材４０から外れ落ちるのを抑制することができる。すなわち、透光性カバー部材３０と放熱部材４０とを、接着材などを用いることなく固定することができる。これにより、照明装置４の組み立て作業や、発光素子１０（発光ダイオード１１）および実装基板２０などのリペア作業が煩雑になるのを抑制することができる。また、接着材を用いない分、照明装置４を軽量化することもできる。
【００５６】
また、本実施形態では、上記のように、透光性カバー部材３０を、アクリル樹脂により形成することによって、ガラス製の透光性カバー部材を用いる場合に比べて、照明装置４を軽量化することができる。
【００５７】
また、本実施形態では、上記のように、透光性カバー部材３０のＡ方向の両端部に、口金５０（口金ピン５０ｂ）を設けることによって、従来から用いられている蛍光ランプの取付具に、容易に、照明装置４を取り付けることができるので、照明装置４を、蛍光ランプの代替品として、より容易に用いることができる。
【００５８】
また、本実施形態では、上記のように、照明装置４を、冷凍庫や冷蔵庫（ショーケース１）の照明に用いる場合、透光性カバー部材３０の表面（外面）に霜や曇りが発生しやすくなる。また、透光性カバー部材３０と放熱部材４０とをスライドにより着脱可能としているので、透光性カバー部材３０と放熱部材４０との隙間から内部に水分が入り込んで、透光性カバー部材３０の表面（内面）に曇りが発生しやすくなる。しかしながら、本実施形態の照明装置４では、放熱部材４０に、透光性カバー部材３０の内側に放熱する内側放熱部４１を設けることにより、透光性カバー部材３０およびその内側を適度に暖めることができるので、照明装置４を冷凍庫や冷蔵庫（ショーケース１）の照明に用いる場合にも、透光性カバー部材３０の表面（外面および内面）に霜や曇りが発生するのを抑制することができる。
【００５９】
また、照明装置４を冷凍庫や冷蔵庫（ショーケース１）の照明に用いる場合、照明装置４を消灯すると、照明装置４が急激に冷却され、透明樹脂１３（発光素子１０）などにダメージが発生しやすくなる。しかしながら、本実施形態の照明装置４では、内側放熱部４１により透光性カバー部材３０およびその内側を適度に暖めることができるので、照明装置４を消灯しても、照明装置４が急激に冷却されるのを抑制することができる。これにより、透明樹脂１３（発光素子１０）などにダメージが発生するのを抑制することができるので、照明装置４の寿命をより向上させることができる。
【００６０】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６１】
たとえば、上記実施形態では、本発明の照明装置を、商品陳列用の冷凍庫や冷蔵庫などのショーケースの照明装置に適用した例について示したが、本発明はこれに限らず、本発明の照明装置を、家庭用の冷凍庫や冷蔵庫の照明装置に適用してもよいし、冷凍庫や冷蔵庫以外の機器の照明装置に適用してもよい。
【００６２】
また、上記実施形態では、発光ダイオードを含む発光素子を用いた例について示したが、本発明はこれに限らず、発光ダイオード以外の素子を含む発光素子を用いてもよい。
【００６３】
また、上記実施形態では、透光性カバー部材３０の内側に放熱するための内側放熱フィン（放熱フィン４１ｂ）を、内側放熱部４１に設けた例について示したが、本発明はこれに限らず、内側放熱フィンを設けなくてもよい。また、図７に示した本発明の第１変形例や、図８に示した本発明の第２変形例のように構成してもよい。具体的には、図７に示すように、透光性カバー部材３０の内側に放熱するための内側放熱フィン（放熱フィン１４２ａ）を、内側放熱部１４１に設けず、外側放熱部１４２に設けてもよい。また、図８に示すように、透光性カバー部材３０の内側に放熱するための内側放熱フィン（放熱フィン２４１ａおよび２４２ａ）を、内側放熱部２４１と外側放熱部２４２との両方に設けてもよい。
【００６４】
また、上記実施形態では、発光素子１０（発光ダイオード１１）を１列状に配置した例について説明したが、本発明はこれに限らず、図９に示した本発明の第３変形例のように、発光素子１０（発光ダイオード１１）を、例えば、２列状（複数列状）に配置してもよい。このとき、図１０に示した本発明の第４変形例のように、１列目の発光素子１０と２列目の発光素子１０とを、千鳥状に配置してもよい。
【００６５】
また、上記実施形態では、透光性カバー部材３０の両端部に、口金５０を配置した例について示したが、本発明はこれに限らず、図１１に示した本発明の第５変形例のように、透光性カバー部材３０の両端部に、樹脂などからなる蓋部材１５０を配置してもよい。具体的には、蓋部材１５０の貫通穴１５０ａにリード線（端子）１５１を通して、発光素子１０（発光ダイオード１１）に電気を供給してもよい。この場合、コンバータは、ソケット３側（照明装置１０４の外部）に設けてもよい。また、放熱部材４０の任意の位置に導出口（図示せず）を設け、リード線１５１を、導出口を通して照明装置１０４の両端部以外の部分から外側に引き出してもよい。
【００６６】
また、上記実施形態では、内側保持部４２ａのＣ方向の幅Ｗ２を、透光性カバー部材３０のＣ方向の開口幅Ｗ１よりも大きくした例について説明したが、本発明はこれに限らず、内側保持部４２ａのＣ方向の幅Ｗ２を、透光性カバー部材３０のＣ方向の開口幅Ｗ１以下の大きさに形成してもよい。
【００６７】
また、上記実施形態では、アクリル樹脂からなる透光性カバー部材を用いた例について示したが、本発明はこれに限らず、アクリル樹脂以外の樹脂からなる透光性カバー部材を用いてもよいし、ガラス製の透光性カバー部材を用いてもよい。
【００６８】
また、上記実施形態では、３つの実装基板を用いるとともに、１つの実装基板に複数（６つ）の発光ダイオードを搭載した例について説明したが、本発明はこれに限らず、全ての発光ダイオードが搭載された１つの実装基板を用いてもよい。また、１つの実装基板に１つの発光ダイオードのみを搭載するようにしてもよい。
【００６９】
また、上記実施形態では、口金を、ネジを用いて放熱部材に取り付けた例について示したが、本発明はこれに限らず、口金を、ネジを用いることなく、放熱部材に取り付けてもよい。また、口金を、透光性カバー部材に取り付けてもよい。
【００７０】
また、上記実施形態では、透光性カバー部材を接着材などを用いることなく放熱部材に取り付けた例について示したが、本発明はこれに限らず、透光性カバー部材を接着材などを用いて放熱部材に取り付けてもよい。
【００７１】
また、上記実施形態では、透光性カバー部材を、円弧状の断面（側面）を有するように形成した例について示したが、本発明はこれに限らず、透光性カバー部材の断面（側面）は、部分的に折れ曲がっていたり、楕円弧状であってもよい。
【００７２】
また、上記実施形態では、透光性カバー部材の両端部に端子を配置した例について示したが、本発明はこれに限らず、透光性カバー部材の一方の端部のみに端子を設けてもよい。
【００７３】
また、上記実施形態では、照明装置を直管状に形成した例について示したが、本発明はこれに限らず、照明装置を、直管状以外の、例えば、Ｕ字状などに形成してもよい。
【図面の簡単な説明】
【００７４】
【図１】本発明の一実施形態による照明装置を備えたショーケースの構造を示した斜視図である。
【図２】図１に示した一実施形態による照明装置の構造を示した斜視図である。
【図３】図１に示した一実施形態による照明装置の構造を示した分解斜視図である。
【図４】図３の１００−１００線に沿った側面図である。
【図５】図１に示した一実施形態による照明装置の発光素子および実装基板の構造を示した平面図である。
【図６】図１に示した一実施形態による照明装置の透光性カバー部材の構造を示した側面図である。
【図７】本発明の第１変形例による照明装置の構造を示した側面図である。
【図８】本発明の第２変形例による照明装置の構造を示した側面図である。
【図９】本発明の第３変形例による照明装置の発光素子および実装基板の構造を示した平面図である。
【図１０】本発明の第４変形例による照明装置の発光素子および実装基板の構造を示した平面図である。
【図１１】本発明の第５変形例による照明装置の構造を示した斜視図である。
【符号の説明】
【００７５】
４、１０４  照明装置
１０  発光素子
１０ａ  光出射面
２０  実装基板
３０  透光性カバー部材
４０  放熱部材
４１、１４１、２４１  内側放熱部
４１ｂ、１４２ａ、２４１ａ、２４２ａ  放熱フィン（内側放熱フィン）
４２、１４２、２４２  外側放熱部
４２ａ  内側保持部（所定部分）
４２ｅ  放熱フィン（外側放熱フィン）
５０ｂ  口金ピン（端子）
１５１  リード線（端子）
Ｗ１  開口幅
Ｗ２  幅
【図１】
2010062023.tif 000003
【図２】
2010062023.tif 000004
【図３】
2010062023.tif 000005
【図４】
2010062023.tif 000006
【図５】
2010062023.tif 000007
【図６】
2010062023.tif 000008
【図７】
2010062023.tif 000009
【図８】
2010062023.tif 000010
【図９】
2010062023.tif 000011
【図１０】
2010062023.tif 000012
【図１１】
2010062023.tif 000013